(57)【要約】      （修正有）【課題】試運転時に貯湯槽への水張りと並行して循環加熱回路に自動的に確実に水張りすることのできる貯湯給湯装置を提供する。【解決手段】貯湯槽４１と、貯湯槽の下部から熱源機を経由して貯湯槽の上部へ水を循環させて加熱する循環加熱回路４５と、循環加熱回路に設けられた循環ポンプ６４と、貯湯槽の下部に接続された給水管４６及び上部に接続された出湯管４７ａ、４７ｂと、出湯管から分岐して浴槽へ湯水を供給するための注湯配管５５と、注湯配管に設けられた注湯電磁弁７６とを備え、試運転時に水張りを行う際には、注湯電磁弁を開放して貯湯槽と循環加熱回路への水張りを行う貯湯給湯装置において、貯湯槽の水張り完了前に、貯湯槽内の水位が循環ポンプの設置高さ位置に達した時点で循環ポンプへの駆動を開始する。【選択図】図３
2013224797.tif 000002
【特許請求の範囲】
【請求項１】
貯湯槽と、この貯湯槽の下部から熱源機を経由して貯湯槽の上部へ水を循環させて加熱する循環加熱回路と、この循環加熱回路に設けられた循環ポンプと、貯湯槽の下部に接続された給水管及び上部に接続された出湯管と、この出湯管から分岐して浴槽へ湯水を供給するための注湯配管と、この注湯配管に設けられた注湯電磁弁とを備えた貯湯給湯装置であって、この貯湯給湯装置に水張りを行う際には、前記注湯電磁弁を開放して貯湯槽と循環加熱回路への水張りを行う貯湯給湯装置において、
前記貯湯槽の水張り完了前に、前記循環ポンプの駆動を開始することを特徴とする貯湯給湯装置。
【請求項２】
前記貯湯槽への水張り開始から設定時間経過後に前記循環ポンプの駆動を開始することを特徴とする請求項１に記載の貯湯給湯装置。
【請求項３】
前記貯湯槽内の水位を検知する水位検知手段を備え、この水位検知手段で検知された水位が、前記循環ポンプの設置高さ位置以上になった場合に、前記循環ポンプの駆動を開始することを特徴とする請求項１に記載の貯湯給湯装置。
【発明の詳細な説明】
【技術分野】
【０００１】
本発明は、貯湯給湯装置に関し、特に試運転時に循環加熱回路に自動的に確実に水張りできるようにした貯湯給湯装置に関する。
【背景技術】
【０００２】
貯湯給湯装置は、一般に、貯湯槽と、貯湯槽の下部に接続された給水管及び上部に接続された出湯管と、この出湯管から分岐して浴槽へ湯水を供給するための注湯配管と、注湯配管に設けられた注湯電磁弁と、貯湯槽の下部から熱源機を経由して貯湯槽の上部へ水を循環させて加熱する循環加熱回路と、この循環加熱回路に設けられた循環ポンプなどを有する。前記熱源機としては、燃料電池発電ユニットの排熱回収熱交換器やヒートポンプユニットが活用される。
【０００３】
貯湯給湯装置の設置後に試運転する際には、貯湯槽、循環加熱回路、出湯管や注湯配管等の配管系に水張りを行ってエア抜きしてから熱源機を作動させる。この水張り時、注湯電磁弁を開放状態に切換えた状態で、給水管から給水しながら貯湯槽に水張りし、その後循環ポンプを駆動して循環加熱回路に水張りすると共に出湯管や注湯配管等の配管系に水張する。
【０００４】
特許文献１には、貯湯槽に水張りしてから、循環ポンプを駆動して貯湯槽内の水を利用して循環加熱回路に自動的に水張りするヒートポンプ式給湯機が開示されている。
【先行技術文献】
【特許文献】
【０００５】
【特許文献１】特許第４２９４６０５号公報
【発明の概要】
【発明が解決しようとする課題】
【０００６】
貯湯給湯装置において、機器の配置上の都合から循環ポンプが貯湯槽の底部よりも高い位置に配置されることも関係して、循環加熱回路に水張りする際に、循環加熱回路内のエア抜きが不十分のため、循環ポンプが空運転状態になって循環加熱回路に水が流れず、熱源機が空焚き状態になる虞がある。
【０００７】
特許文献１の給湯機では、貯湯槽や配管系に水張り後、循環加熱回路に水張りする際、図６、図７に基づいて以下に説明するように、循環加熱回路内にエアが残留する虞があるため、正常な試運転を行うことができるとは限らない。
【０００８】
図６、図７は貯湯給湯装置１００の貯湯槽１０３と循環加熱回路１０１に水張りする際の挙動を示すもので、図６に示すように給水管１０２から貯湯槽１０３内へ給水していくと、循環加熱回路１０１の往き側通路１０１ａ内へも給水されて水位が上昇していき、循環ポンプ１０５の位置まで水張り状態になる。しかし、循環加熱回路１０１の管路抵抗の影響もあるため循環加熱回路１０１の途中までしか水張りされない。
【０００９】
その後、図７に示すように、貯湯槽１０３が満水状態になって貯湯槽１０３の内部の全域に給水圧が作用したとき、貯湯槽１０３の上部に接続された戻り側通路１０１ｂにも給水圧が作用し、戻り側通路１０１ｂに水が流入して循環加熱回路１０１内にエアが閉じ込められた状態になって、そのエアが往き側通路１０１ａ側へ押し戻され、循環ポンプ１０５に水張りされない状態が発生することがある。この場合、循環ポンプ１０５を駆動しても空運転となり、循環加熱回路１０１に水が流れずに、熱源機１０４が空焚き状態になる。
【００１０】
そのため、従来では、貯湯給湯装置１００への水張りを完全自動化することは難しく、計器類を点検しながら手動操作により水張りを行っていた。そのため、貯湯給湯装置１００への水張りに多くの時間と労力を要していた。特に、循環ポンプ１０５を貯湯槽１０３側ではなく、熱源機１０４側に設ける場合には、貯湯槽１０３から循環ポンプ１０５に延びる往き側通路１０１ａの通路長も長くなるため上記の問題が顕著になる。
【００１１】
本発明の目的は、試運転時に貯湯槽への水張りと並行して循環加熱回路に自動的に確実に水張りすることのできる貯湯給湯装置を提供することである。
【課題を解決するための手段】
【００１２】
請求項１の貯湯給湯装置は、貯湯槽と、この貯湯槽の下部から熱源機を経由して貯湯槽の上部へ水を循環させて加熱する循環加熱回路と、この循環加熱回路に設けられた循環ポンプと、貯湯槽の下部に接続された給水管及び上部に接続された出湯管と、この出湯管から分岐して浴槽へ湯水を供給するための注湯配管と、この注湯配管に設けられた注湯電磁弁とを備えた貯湯給湯装置であって、この貯湯給湯装置に水張りを行う際には、前記注湯電磁弁を開放して貯湯槽と循環加熱回路への水張りを行う貯湯給湯装置において、前記貯湯槽の水張り完了前に、前記循環ポンプの駆動を開始することを特徴としている。
【００１３】
請求項２の貯湯給湯装置は、請求項１の発明において、前記貯湯槽への水張り開始から設定時間経過後に前記循環ポンプの駆動を開始することを特徴としている。
【００１４】
請求項３の貯湯給湯装置は、請求項１の発明において、前記貯湯槽内の水位を検知する水位検知手段を備え、この水位検知手段で検知された水位が、前記循環ポンプの設置高さ位置以上になった場合に、前記循環ポンプの駆動を開始することを特徴としている。
【発明の効果】
【００１５】
請求項１の発明によれば、貯湯槽と、この貯湯槽を熱源機に接続する循環加熱回路と、循環ポンプと、貯湯槽から湯水を取り出す出湯管と、この出湯管から分岐し浴槽へ注湯する注湯配管と、この注湯配管に設けられた注湯電磁弁とを備え、水張りを行う際には注湯電磁弁を開放して貯湯槽と循環加熱回路への水張りを行う貯湯給湯装置において、前記貯湯槽の水張り完了前に、前記循環ポンプの駆動を開始するため、循環ポンプに水張りされた状態であって、貯湯槽の上部に接続された循環加熱回路の戻り側通路に貯湯槽から給水圧が作用しない状態で、循環ポンプの駆動を開始することで、循環加熱回路に確実に水張りすることができる。
しかも、この循環加熱回路への水張りは、貯湯槽への水張りと並行して行うことができるため、貯湯槽への水張り完了後に循環加熱回路へ水張りする場合に比べて、貯湯給湯装置への水張り時間を短縮することができる。
【００１６】
請求項２の発明によれば、前記貯湯槽への水張り開始から設定時間経過後に前記循環ポンプの駆動を開始するため、前記設定時間を適切に設定すれば、貯湯槽内の水位が循環ポンプの設置高さ位置以上になり循環ポンプが水張りされた状態になってから循環ポンプの駆動を開始することができる。
【００１７】
請求項３の発明によれば、前記貯湯槽内の水位を検知する水位検知手段を備え、この水位検知手段で検知された水位が、前記循環ポンプの設置高さ位置以上になった場合に、前記循環ポンプの駆動を開始するため、循環ポンプが水張りされた状態になってから循環ポンプの駆動を開始することができる。
【図面の簡単な説明】
【００１８】
【図１】本発明の実施例１に係る燃料電池コージェネレーションシステムの貯湯給湯装置の構成図である。
【図２】前記燃料電池コージェネレーションシステムの発電ユニットの構成図である。
【図３】循環加熱回路水張り制御のフローチャートである。
【図４】実施例２に係る循環加熱回路水張り制御のフローチャートである。
【図５】実施例３に係る循環加熱回路水張り制御のフローチャートである。
【図６】従来技術に係る貯湯給湯装置の循環加熱回路への水張りの作動説明図である。
【図７】図６の貯湯給湯装置の循環加熱回路への水張りの作動説明図である。
【発明を実施するための形態】
【００１９】
以下、本発明を実施するための形態について実施例に基づいて説明する。
【実施例１】
【００２０】
先ず、燃料電池コージェネレーションシステム１の全体構成について説明する。
図１，図２に示すように、この燃料電池コージェネレーションシステム１は、燃料電池発電ユニット２と、この燃料電池発電ユニット２を熱源機とする貯湯給湯装置３とで構成されている。
【００２１】
図２に示すように、発電ユニット２は、貯湯槽４１の湯水を加熱する為の貯湯給湯装置３の外部熱源であり、燃料電池発電モジュール４、カソード空気用送風装置５、燃料ガス昇圧用送風装置６、燃料改質空気用送風装置７、排気ガス排出通路８、熱交換器９、水処理装置１１、インバータ１２等から構成されている。
【００２２】
発電ユニット２は、上記の各種装置が外装ケース１３に一体的に収納されて構成され、燃料電池発電モジュール４にて発電された直流電力は、インバータ１２を介して交流電力に変換されて外部に出力される。
カソード空気用送風装置５は、外部から空気を発電空気ブロワ５ａに取り込み、この取り込まれた空気を空気通路１５を介して燃料電池発電モジュール４に供給する。
【００２３】
燃料ガス昇圧用送風装置６は、図示外のガス供給源から燃料ガスを燃料昇圧ブロワ６ａに取り込み、この昇圧された燃料ガスを、ガス通路１６と共通通路１８を介して燃料電池発電モジュール４に供給する。
燃料改質空気用送風装置７は、外部から燃料改質用の空気を改質空気ブロワ７ａに取り込み、この取り込まれた燃料改質用の空気を、改質空気通路１７と共通通路１８を介して燃料電池発電モジュール４に供給する。
【００２４】
次に、燃料電池発電モジュール４について説明する。
図２に示すように、燃料電池発電モジュール４は、燃料電池セルスタック２１、蒸発器２２、燃料改質器２３、オフガス燃焼室２４、熱交換器２７等を備え、燃料改質器２３によって改質された改質燃料ガス及び酸化剤としての空気を燃料電池セルスタック２１で化学反応させることで発電を行うものである。
【００２５】
熱交換器９は、排気ガス排出通路８の途中部に設けられ、循環加熱回路４５の一部を構成する熱交換通路部９ａを備えている。この熱交換器９において、発電モジュール４から排出される排気ガスを、熱交換通路部９ａを流れる湯水との間で熱交換させて、排気ガス中に含まれる水蒸気は冷却され凝縮されて凝縮水となる。
【００２６】
次に、貯湯給湯装置３について説明する。
図１に示すように、貯湯給湯装置３は、貯湯、給湯、風呂への注湯、床暖房パネル等の温水暖房端末への温水の供給、風呂の追い焚き等の機能を有するものであり、貯湯タンク４１、補助熱源機４２、第１，第２熱交換器４３，４４、発電ユニット２側において循環ポンプ６４が介装された循環加熱回路４５、給水通路４６、出湯回路４７、温水暖房回路４８、風呂給湯追焚回路４９、熱利用循環回路５０、これら回路４５〜５０を相互に接続する複数のバイパス通路５１〜５４，５７、風呂注湯通路５５、出湯通路５８等を備え、これらは外装ケース５９内に一体的に収納されて構成されている。外装ケース５９の底部には外気温を検出する外気温センサ６６が設けられている。  
【００２７】
貯湯槽４１は、高温の湯水（例えば、８０〜９０℃）を貯留可能な上下方向に細長い密閉タンクであり、貯留された温水の放熱を防ぐ為にタンク周囲は断熱材で覆われている。貯湯槽４１内の複数の貯留層の湯水の温度が複数の貯湯水温度センサ６１ａ〜６１ｄにより検出される。貯湯水温度センサ６１ｄは貯湯槽４１の下部に付設され、貯湯水温度センサ６１ｃは貯湯槽４１の中段部の下部寄り部位に付設され、貯湯水温度センサ６１ｂは貯湯槽４１の上部に付設され、貯湯水温度センサ６１ａは貯湯槽４１の上端寄り部位に付設されている。循環加熱回路４５に組み込まれた循環ポンプ６４は、貯湯水温度センサ６１ｃよりも低い位置に設置されている。
【００２８】
補助熱源機４２は、公知のガス給湯器で構成され、熱利用循環回路５０の湯水の温度が不足する等の特別な場合に限り、湯水を再度加熱するものである。
第１熱交換器４３は、温水暖房回路４８を流れる暖房水を加熱するものであり、この第１熱交換器４３において、熱利用循環回路５０を流れる高温の湯水と温水暖房回路４８を流れる暖房水との間で熱交換され、暖房水が加熱される。
【００２９】
第２熱交換器４４は、風呂給湯追焚回路４９を流れる浴槽水を加熱するものであり、この第２熱交換器４４において、熱利用循環回路５０を流れる高温の湯水と風呂給湯追焚回路４９を流れる風呂のお湯との間で熱交換され、浴槽水が加熱される。
【００３０】
次に、循環加熱回路４５について説明する。
図１，図２に示すように、循環加熱回路４５は、外部熱源である発電ユニット２の熱交換器９と貯湯槽４１との間に湯水を循環させる閉回路であり、往き側通路４５ａ、戻り側通路４５ｂを有し、貯湯槽４１の下部に往き側通路４５ａの上流端が接続され、貯湯タンク４１の上部に戻り側通路４５ｂの下流端が接続されている。
【００３１】
往き側通路４５ａの途中部から戻り側通路４５ｂの途中部にバイパスする第１バイパス通路５１が分岐され、この分岐部には、貯湯切換弁６２が設置されている。往き側通路４５ａには、湯水を急速に冷却可能なラジエータ６３が設置されている。往き側通路４５ａの発電ユニット２側には、排熱回収用の循環ポンプ６４（図２参照）が設置されている。往き側通路４５ａと戻り側通路４５ｂとの間に、発電ユニット２の熱交換器９の熱交換通路部９ａが接続されている。
【００３２】
次に、給水通路４６について説明する。
給水通路４６は、上水源から低温の上水を貯湯槽４１に供給するものであり、上流給水通路４６ａ、中間給水通路４６ｂ、下流給水通路４６ｃを有し、上流給水通路４６ａの上流端が上水源に接続され、貯湯槽４１の下部に下流給水通路４６ｃの下流端が接続されている。上流給水通路４６ａには減圧弁６７と給水温度センサ６５が設置され、中間給水通路４６ｂには逆止弁４６ｄが設置されている。中間給水通路４６ｂには、安全弁６８ａが設置された排水通路６８が接続され、この排水通路６８の下流端は、排水桝６９に延びている。
【００３３】
給水通路４６において、中間給水通路４６ｂと下流給水通路４６ｃとの間から熱利用循環回路５０に接続する第２バイパス通路５２が分岐され、この分岐部には、中間給水通路４６ｂと下流給水通路４６ｃとの接続、中間給水通路４６ｂと第２バイパス通路５２との接続、第２バイパス通路５２と下流給水通路４６ｃとの接続を選択可能な蓄熱切換弁７１が設置されている。下流給水通路４６ｃから外部に排水可能な排水通路７２が分岐している。
【００３４】
次に、出湯回路４７について説明する。
出湯回路４７は、貯湯槽４１内に貯湯された湯水を風呂等の所望の給湯先に供給するものであり、高温の湯水が流れる上流出湯通路４７ａ、水と高温の湯水が混合された混合湯水が流れる中間出湯通路４７ｂおよび下流出湯通路４７ｃを有する。上流出湯通路４７ａの上流端が貯湯槽４１の上部に接続され、上流出湯通路４７ａの下流端に中間出湯通路４７ｂの上流端が接続され、中間出湯通路４７ｂの下流端に下流出湯通路４７ｃの上流端が接続され、下流出湯通路４７ｃの下流端に給湯栓７３が接続されている。上流出湯通路４７ａと中間出湯通路４７ｂとの間には混合弁７４が設置され、この混合弁７４に上流給水通路４６ａから分岐した第３バイパス通路５３が接続されている。混合弁７４は、出湯温度が指令温度になるように水と高温の湯水の流量比を制御するものである。尚、上流出湯通路４７ａと中間出湯通路４７ｂとが「出湯管」に相当する。
【００３５】
第３バイパス通路５３には、逆止弁５３ａが設置されている。第３バイパス通路５３から混合弁７４を介さずに中間出湯通路４７ｂへ直接接続する第４バイパス通路５４が分岐され、この第４バイパス通路５４には、高温回避電磁弁７８が設置されている。この第４バイパス通路５４によって、中間出湯通路４７ｂに上水源から低温の上水を直接供給することができる。
【００３６】
中間出湯通路４７ｂには、流量センサ４７ｄ及び出湯水比例弁７５が設置され、出湯水比例弁７５の下流側から風呂給湯追焚回路４９へ接続する風呂注湯通路５５が分岐されている。風呂注湯通路５５には、流量センサ５５ａ、注湯電磁弁７６、逆止弁５５ｂが順に一体的に設置され、逆止弁５５ｂには逆流防止手段５５ｃが接続されている。尚、風呂注湯通路５５が「注湯配管」に相当する。
【００３７】
次に、風呂給湯追焚回路４９について説明する。
風呂給湯追焚回路４９は、風呂のお湯を追い焚きする回路であり、風呂往き側通路４９ａ、風呂戻り側通路４９ｂを有している。風呂往き側通路４９ａと風呂戻り側通路４９ｂとの間には、第２熱交換器４４の内部通路４４ｂが接続され、風呂戻り側通路４９ｂには、風呂水流スイッチ８４や風呂循環ポンプ８５等が設置されている。
【００３８】
風呂内のお湯は風呂循環ポンプ８５により風呂戻り側通路４９ｂへ送られ、内部通路４４ｂに送られて加熱され、加熱されたお湯は、風呂往き側通路４９ａから風呂へ送り出される。必要に応じて、出湯回路４７から分岐した風呂注湯通路５５を介して、風呂戻り側通路４９ｂに湯水を補充することができる。
【００３９】
次に、制御ユニット９７について説明する。
燃料電池コージェネレーションシステム１は、制御ユニット９７によって制御される。各種の温度センサ、各種の流量センサ、水処理装置１１の水位スイッチ３９（図２参照）、膨張タンク８０の水位センサ等の検出信号が制御ユニット９７に送信され、この制御ユニット９７により、発電ユニット２と貯湯注湯装置３の動作、各種弁部材の切り換え、各種ポンプの作動・停止、各種開閉弁の開閉状態の切り換え等を制御し、各種運転（排熱回収運転、風呂注湯運転、風呂追い焚き運転、暖房運転、給湯運転等）を実行する。
【００４０】
次に、この燃料電池コージェネレーションシステム１を設置後に試運転する際に、前記制御ユニット９７により自動的に行われる、循環加熱回路４５へ水張りする循環加熱回路水張り制御について、図３のフローチャートに基づいて説明する。尚、図中の符号Ｓｉ（ｉ=１，２，・・）は各ステップを示す。この循環加熱回路水張り制御の制御プログラムは、制御ユニット９７に予め格納されている。
【００４１】
この貯湯給湯装置３に水張りを行う際には、注湯電磁弁７６を開放した状態で、給水通路４６から貯湯槽４１に給水することで、風呂側へエア抜きしながら貯湯槽４１と循環加熱回路４５とその他の配管系（回路や通路）への水張りを行い、貯湯槽４１への水張り途中（水張り完了前）に貯湯槽４１内の水位が循環ポンプ６４の設置高さ位置以上になった場合に前記循環ポンプ６４の駆動を開始して循環加熱回路４５への水張りを行う。
【００４２】
図３のフローチャートにおいて、この制御が開始されると、最初にＳ１において、貯湯槽４１への水張りが開始される。このとき、注湯電磁弁７６が開弁され、蓄熱切換弁７１が貯湯槽４１へ給水する給水位置に保持され、貯湯切換弁６２が循環加熱回路４５の往き側通路４５ａを連通させる連通位置に保持され、循環ポンプ６４が停止状態に保持され、タイマーＴによる計時が開始される。
【００４３】
次に、Ｓ２において、タイマーＴの計時時間Ｔａ≧設定時間Ｔｏか否か判定し、その判定がＮｏのときはＳ２へ戻ってＳ２を繰り返えす。前記の設定時間Ｔｏは、貯湯槽４１内の水位が貯湯水温度センサ６１ｃとほぼ同レベルになるのに要する時間（例えば、５分）であり、予め実験等に基づいて設定されている。
【００４４】
Ｓ２の判定がＹｅｓになり、貯湯槽４１内の水位が貯湯水温度センサ６１ｃとほぼ同レベルになると、Ｓ３において循環ポンプ６４の駆動が開始されてその駆動が継続され、この制御が終了する。
貯湯槽４１内の水位が貯湯水温度センサ６１ｃとほぼ同レベルになると、循環ポンプ６４は確実に水張りされた状態になるので、その時点から循環ポンプ６４を駆動状態に切換えることで、循環加熱回路４５に確実に水張りを行うことができる。
【００４５】
以上説明したように、この循環加熱回路水張り制御によれば、貯湯槽４１への水張りと、循環加熱回路４５への水張りとを並行して行うことができるため、貯湯給湯装置３に水張りする時間を短縮することができる。
【００４６】
しかも、貯湯槽４１への水張りと、循環加熱回路４５への水張りは、制御ユニット９７により自動的に且つ並行して行うことができるため、貯湯給湯装置３の試運転にかかる所要時間を大幅に低減することができる。そして、循環加熱回路４５に水が循環しない状態で、発電ユニット２を空焚き運転してしまう虞もない。貯湯槽４１の水張り開始からの経過時間をタイマーＴで計時し、設定時間Ｔｏ以上経過したことを条件として循環ポンプ６４の駆動を開始するため、簡単な制御で確実に循環加熱回路４５に水張りすることができる。
【実施例２】
【００４７】
実施例２に係る循環加熱回路水張り制御について、図４のフローチャートに基づいて説明する。尚、図中Ｓｉ（ｉ＝１０，１１，・・）は各ステップを示す。
この制御が開始されると、最初にＳ１０において、貯湯槽４１への水張りが開始される。このとき、注湯電磁弁７６が開弁され、蓄熱切換弁７１が貯湯槽４１へ給水する給水位置に保持され、貯湯切換弁６２が循環加熱回路４５の往き側通路４５ａを連通させる連通位置に保持され、循環ポンプ６４が停止状態に保持される。
【００４８】
次に、Ｓ１１において、給水温センサ６５と外気温センサ６６の検出信号が読み込まれ、Ｓ１２において、給水温Ｔｗが（外気温Ｔａ±α）の範囲内か否か判定され、その判定がＮｏのときはＳ１３へ移行し、その判定がＹｅｓのときはＳ１６へ移行する。上記αは、予め設定された小さな所定温度（例えば、１℃）である。
Ｓ１３においては、貯湯水温度センサ６１ｃ，６１ｄの検出信号が読み込まれる。尚、貯湯水温度センサ６１ｃで検出された貯湯水温度を検出温度Ｔｃとし、貯湯水温度センサ６１ｄで検出された貯湯水温度を検出温度Ｔｄとする。
【００４９】
次に、Ｓ１４において、給水温Ｔｗが（検出温度Ｔｃ±１℃）の範囲内で且つ給水温Ｔｗが（検出温度Ｔｄ±１℃）の範囲内か否か判定される。Ｓ１４の判定がＮｏの場合は、貯湯槽４１内の水位が貯湯水温度センサ６１ｃのレベルに達していないため、Ｓ１３へ戻ってＳ１３、Ｓ１４を繰り返えし、Ｓ１４の判定がＹｅｓになった場合には、貯湯槽４１内の水位が貯湯水温度センサ６１ｃとほぼ同レベルに達し、循環ポンプ６４が水張り状態になるので、Ｓ１５において、循環ポンプ６４の駆動を開始してその駆動を継続され、その後この制御を終了する。
【００５０】
一方、Ｓ１２の判定がＹｅｓの場合には、給水温Ｔｗと検出温度Ｔｃ，Ｔｄに基づいて貯湯槽４１内の水位を検知することができないため、流量センサ４７ｄの検出信号に基づいて、貯湯槽４１内の水位を以下のように算出する。
【００５１】
Ｓ１２の判定がＹｅｓのときは、Ｓ１６において流量センサ４７ｄの検出信号を読み込む。貯湯槽４１への水張り中においては、流量センサ４７ｄは排出中の空気流量を検出しており、空気は圧縮性流体であるため、流量センサ４７ｄによる検出値はばらつくため、Ｓ１６では微小時間における複数の検出信号を読み込んで、その平均値を検出信号として用いるものとする。
【００５２】
次に、Ｓ１７においては前記検出信号を用いて検出流量の累積値Ｑａを演算する。次にＳ１８においては、累積値Ｑａが設定値Ａ以上になった否か判定する。この設定値Ａは、貯湯槽４１の全容量と、貯湯水温度センサ６１ｃのレベルまで水張りする場合の水量と、僅かに加圧された状態で排出される空気の空気圧とに基づいて、貯湯水温度センサ６１ｃのレベルまで水張りするまでに排出される空気量として実験等を介して予め設定された値である。
【００５３】
Ｓ１８の判定がＮｏのときは、Ｓ１６〜Ｓ１８を繰り返し、Ｓ１８の判定がＹｅｓになった場合には、Ｓ１５へ移行して循環ポンプ６４の駆動を開始してその駆動が継続され、その後この制御を終了する。本実施例の場合、給水温センサ６５、貯湯水温センサ６１ｃ，６１ｄ、Ｓ１３とＳ１４を実行する制御ユニット９７が「水位検知手段」に相当し、また、流量センサ４７ｄ、Ｓ１６〜Ｓ１８を実行する制御ユニット９７も「水位検知手段」に相当する。この循環加熱回路水張り制御によれば、給水温度センサ６５、貯湯水温センサ６１ｃ，６１ｄ、流量センサ４７ｄの検出信号を有効活用して循環加熱回路水張り制御を行うことができるため、特別の機器を設ける必要がないから有利である。その他、実施例１の循環加熱回路水張り制御と同様の効果が得られるので、その説明は省略する。
【実施例３】
【００５４】
実施例３に係る循環加熱回路水張り制御について、図５のフローチャートに基づいて説明する。尚、図中Ｓｉ（ｉ＝２０，２１，・・）は各ステップを示す。
本実施例では、中間給水通路４６ｂに給水流量センサ（図示略）を設けるものとする。
この制御が開始されると、最初にＳ２０において、貯湯槽４１への水張りが開始される。このとき、注湯電磁弁７６が開弁され、蓄熱切換弁７１が貯湯槽４１へ給水する給水位置に保持され、貯湯切換弁６２が循環加熱回路４５の往き側通路４５ａを連通させる連通位置に保持され、循環ポンプ６４が停止状態に保持される。
【００５５】
次に、Ｓ２１において、給水流量センサの検出信号が読み込まれ、次にＳ２２において、前記検出信号を用いて給水流量の累積値Ｑｗが演算される。次にＳ２３においては、前記累積値Ｑｗが設定値Ｂ以上か否か判定される。この設定値Ｂは、貯湯水温センサ６１ｃのレベルまで水張りするのに必要な水量である。Ｓ２３の判定がＮｏのときはＳ２１〜Ｓ２３が繰り返し実行され、
【００５６】
Ｓ２３の判定がＹｅｓになると、Ｓ２４において、循環ポンプ６４の駆動が開始されてその駆動が継続され、その後この制御が終了する。本実施例においては、給水流量センサ、Ｓ２１〜Ｓ２３を実行する制御ユニット９７が「水位検知手段」に相当する。
この循環加熱回路水張り制御によれば、中間給水通路４６ｂに設ける給水流量センサで検出する給水流量に基づいて、貯湯槽４１内の水位を検知するため、精度よく水位を検知することができる。その他、実施例１の循環加熱回路水張り制御と同様の効果が得られるので、その説明は省略する。
【００５７】
次に、前記実施例を部分的に変更する例について説明する。
（１）前記実施例では、燃料電池コージェネレーションシステム１の発電ユニット２  を熱源機とする貯湯給湯装置３を例にして説明したが、ヒートポンプやガスエンジンを熱源機とする貯湯給湯装置にも本発明を同様に適用することができる。
（２）その他、当業者であれば、前記実施例に適宜変更を付加した形態で本発明を実施可能である。
【符号の説明】
【００５８】
１      燃料電池コージェネレーションシステム
２      発電ユニット
３      貯湯給湯装置
９      熱交換器
４５    循環加熱回路
４６    給水通路
４７    出湯回路
４７ａ  上流出湯通路
４７ｂ  中間出湯通路
４７ｄ  流量センサ
５５    風呂注湯通路
６１ｃ，６１ｄ  貯湯水温度センサ
６４    循環ポンプ
６５    給水温度センサ
６６    外気温センサ
７６    注湯電磁弁
９７    制御ユニット
【図１】
2013224797.tif 000003
【図２】
2013224797.tif 000004
【図３】
2013224797.tif 000005
【図４】
2013224797.tif 000006
【図５】
2013224797.tif 000007
【図６】
2013224797.tif 000008
【図７】
2013224797.tif 000009